(57)【要約】【課題】コストの増加を抑えつつ、スキャン動作中および待機中の状態に拘らず効率的に発電し、もって使用電力の省エネルギ化を図り得る画像読取装置を提供する。【解決手段】画像読取装置１０１は、原稿１１０を照らす照明ランプ１２１、および照明ランプによって照明された原稿からの反射光を受光するセンサ１２２を含むスキャナ光学系１２０と、受光して光エネルギを電力に変換する光電変換パネル１３０と、を有している。光電変換パネルは、原稿の画像を読取るスキャン動作中においては照明ランプの照明光１３１を少なくとも受光し、待機中においては外部からの環境光１３２を受光する。【選択図】図１
2011244252.tif 000002
【特許請求の範囲】
【請求項１】
原稿を照らす照明部材、および前記照明部材によって照明された原稿からの反射光を受光するセンサを含むスキャナ光学系と、
受光して光エネルギを電力に変換する光電変換パネルと、を有し、
前記光電変換パネルは、原稿の画像を読取るスキャン動作中においては前記照明部材の照明光を少なくとも受光し、待機中においては外部からの環境光を受光してなる、画像読取装置。
【請求項２】
前記スキャナ光学系および前記光電変換パネルは、前記光電変換パネルが前記照明光を少なくとも受光する第１の位置と、前記光電変換パネルが前記環境光を受光する第２の位置との間で、相対的に移動自在に設けられている、請求項１に記載の画像読取装置。
【請求項３】
読み取る原稿をセットするトレイと、
前記トレイの上面を覆って前記トレイへの原稿のセットを禁止する閉位置と、前記トレイの上面を開放して前記トレイへの原稿のセットを許容する開位置とに回動自在なカバー部材と、を有し、
前記光電変換パネルは、前記カバー部材に取り付けられ、前記カバー部材が開位置に回動すると前記第１の位置に移動し、前記カバー部材が閉位置に回動すると前記第２の位置に移動する、請求項２に記載の画像読取装置。
【請求項４】
読み取る原稿をセットする回動トレイであって、原稿をセットする前の初期位置と、セットされた原稿の自重によって回動するセット位置とに回動自在な回動トレイと、
前記回動トレイの回動動作が伝達されて回動する回転部材と、を有し、
前記光電変換パネルは、前記回転部材に取り付けられ、前記回動トレイがセット位置に回動すると前記第１の位置に移動し、前記回動トレイが初期位置に回動すると前記第２の位置に移動する、請求項２に記載の画像読取装置。
【請求項５】
前記光電変換パネルは、スキャン動作中において前記照明光および前記環境光の両者を受光する、請求項１または請求項２に記載の画像読取装置。
【請求項６】
前記照明光または前記環境光を前記光電変換パネルに導く導光部材をさらに有する請求項１〜５のいずれか１つに記載の画像読取装置。
【発明の詳細な説明】
【技術分野】
【０００１】
本発明は、原稿の画像を読み取る画像読取装置に関する。
【背景技術】
【０００２】
画像読取装置は、原稿を照らす照明ランプ、および照明ランプによって照明された原稿からの反射光を受光するセンサを含むスキャナ光学系を有している。スキャナ光学系などを作動させるための電力の省エネルギ化を図るために、特許文献１〜３には、受光して光エネルギを電力に変換する光電変換パネル、例えば太陽電池を組み込んだ画像読取装置が提案されている。
【０００３】
特許文献１および２には、原稿の画像を読み取るスキャン動作中における照明ランプの光を光電変換パネルによって受光して発電する画像読取装置が記載されている。しかしながら、特許文献１および２に記載された技術では、スキャン動作のとき以外には発電することができないという問題がある。
【０００４】
一方、特許文献３には、装置本体の外装に取り付けた光発電パネルによって装置外部からの環境光を受光して発電する画像読取装置が記載されている。しかしながら、特許文献３に記載された技術では、スキャン動作中における照明ランプの光を光発電パネルによって受光することができず、照明ランプの光を有効に利用できないという問題がある。
【０００５】
スキャン動作中および待機中の状態に拘らず発電するために、照明ランプの光を受光するための専用の光電変換パネル、および環境光を受光するための専用の光電変換パネルの両者を画像読取装置に組み込むことも考えられる。しかしながら、この場合にはコストの増加を招くことになる。特に、照明ランプの光を受光する光電変換パネルは、スキャン動作中のみにしか発電しないため、画像読取装置の利用頻度が低い場合には発電しない状態が長時間続き、光電変換パネルを設けたコストに見合った効果を得ることができない。
【先行技術文献】
【特許文献】
【０００６】
【特許文献１】特開２００４−８８６４９
【特許文献２】特開２００４−２５４２４９
【特許文献３】特開２００７−１０６５８３
【発明の概要】
【発明が解決しようとする課題】
【０００７】
本発明は上述した課題に鑑みてなされたものであり、本発明の目的は、コストの増加を抑えつつ、スキャン動作中および待機中の状態に拘らず効率的に発電し、もって使用電力の省エネルギ化を図り得る画像読取装置を提供することにある。
【課題を解決するための手段】
【０００８】
本発明の上記目的は、下記の手段によって達成される。
【０００９】
（１）原稿を照らす照明部材、および前記照明部材によって照明された原稿からの反射光を受光するセンサを含むスキャナ光学系と、
受光して光エネルギを電力に変換する光電変換パネルと、を有し、
前記光電変換パネルは、原稿の画像を読取るスキャン動作中においては前記照明部材の照明光を少なくとも受光し、待機中においては外部からの環境光を受光してなる、画像読取装置。
【００１０】
（２）前記スキャナ光学系および前記光電変換パネルは、前記光電変換パネルが前記照明光を少なくとも受光する第１の位置と、前記光電変換パネルが前記環境光を受光する第２の位置との間で、相対的に移動自在に設けられている、上記（１）に記載の画像読取装置。
【００１１】
（３）読み取る原稿をセットするトレイと、
前記トレイの上面を覆って前記トレイへの原稿のセットを禁止する閉位置と、前記トレイの上面を開放して前記トレイへの原稿のセットを許容する開位置とに回動自在なカバー部材と、を有し、
前記光電変換パネルは、前記カバー部材に取り付けられ、前記カバー部材が開位置に回動すると前記第１の位置に移動し、前記カバー部材が閉位置に回動すると前記第２の位置に移動する、上記（２）に記載の画像読取装置。
【００１２】
（４）読み取る原稿をセットする回動トレイであって、原稿をセットする前の初期位置と、セットされた原稿の自重によって回動するセット位置とに回動自在な回動トレイと、
前記回動トレイの回動動作が伝達されて回動する回転部材と、を有し、
前記光電変換パネルは、前記回転部材に取り付けられ、前記回動トレイがセット位置に回動すると前記第１の位置に移動し、前記回動トレイが初期位置に回動すると前記第２の位置に移動する、上記（２）に記載の画像読取装置。
【００１３】
（５）前記光電変換パネルは、スキャン動作中において前記照明光および前記環境光の両者を受光する、上記（１）または（２）に記載の画像読取装置。
【００１４】
（６）前記照明光または前記環境光を前記光電変換パネルに導く導光部材をさらに有する上記（１）〜（５）のいずれか１つに記載の画像読取装置。
【発明の効果】
【００１５】
本発明では、光電変換パネルが、原稿の画像を読み取るスキャン動作中においては照明部材の照明光を少なくとも受光し、待機中においては外部からの環境光を受光する。このため、照明部材の照明光を受光するための専用の光電変換パネル、および環境光を受光するための専用の光電変換パネルの両者を組み込む場合に比べてコストの増加を抑えつつ、スキャン動作中および待機中の状態に拘らず効率的に発電することができ、もって使用電力の省エネルギ化を図ることが可能となる。
【図面の簡単な説明】
【００１６】
【図１】図１（Ａ）（Ｂ）は、本発明の第１の実施形態に係る画像読取装置の機械的な構成を示す概略図であり、図１（Ａ）は待機中の状態を示し、図１（Ｂ）はスキャン動作中の状態を示している。
【図２】画像読取装置におけるスキャナの上面パネル部の要部を示す平面図である。
【図３】開位置に回動したカバー部材を開位置に保持する保持機構を示す概略図である。
【図４】画像読取装置の制御部の構成を示すブロック図である。
【図５】画像読取装置の装置内発電に関連する構成を示すブロック図である。
【図６】画像読取装置の装置内発電に関連する動作の流れを示すフローチャートである。
【図７】図７（Ａ）（Ｂ）は、本発明の第２の実施形態に係る画像読取装置の機械的な構成を示す概略図であり、図７（Ａ）は待機中の状態を示し、図７（Ｂ）はスキャン動作中の状態を示している。
【図８】図８（Ａ）（Ｂ）は、本発明の第３の実施形態に係る画像読取装置の機械的な構成を示す概略図であり、図８（Ａ）は待機中の状態を示し、図８（Ｂ）はスキャン動作中の状態を示している。
【図９】図９（Ａ）（Ｂ）は、本発明の第４の実施形態に係る画像読取装置の機械的な構成を示す概略図であり、図９（Ａ）は待機中の状態を示し、図９（Ｂ）はスキャン動作中の状態を示している。
【発明を実施するための形態】
【００１７】
以下、添付した図面を参照しながら、本発明の実施形態を説明する。なお、図面の説明において同一の要素には同一の符号を付し、重複する説明を省略する。
【００１８】
（第１の実施形態）
図１（Ａ）（Ｂ）を参照して、第１の実施形態に係る画像読取装置１０１は、概説すれば、原稿１１０を照らす照明ランプ１２１（照明部材に相当する）、および照明ランプ１２１によって照明された原稿１１０からの反射光を受光するセンサ１２２を含むスキャナ光学系１２０と、受光して光エネルギを電力に変換する光電変換パネル１３０と、を有している。そして、光電変換パネル１３０は、原稿１１０の画像を読取るスキャン動作中においては照明ランプ１２１の照明光１３１を少なくとも受光し、待機中においては外部からの環境光１３２を受光している。スキャナ光学系１２０および光電変換パネル１３０は、光電変換パネル１３０が照明光１３１を少なくとも受光する第１の位置Ｐ１（図１（Ｂ）を参照）と、光電変換パネル１３０が環境光１３２を受光する第２の位置Ｐ２（図１（Ａ）を参照）との間で、相対的に移動自在に設けられている。光電変換パネル１３０として、例えば、太陽電池を適用することができる。以下、第１の実施形態に係る画像読取装置１０１を詳述する。
【００１９】
画像読取装置１０１は、原稿１１０を１枚ずつ搬送する自動原稿搬送装置１４０（ＡＤＦ：Ａｕｔｏ  Ｄｏｃｕｍｅｎｎｔ  Ｆｅｅｄｅｒ）と、原稿画像を読み取るスキャナ１５０とを有している。
【００２０】
ＡＤＦ１４０は、読み取る原稿１１０をセットするトレイ１４１と、セットされた原稿１１０を１枚ずつ引き出すピックアップローラ１４２と、引き出された原稿１１０を一定速度で搬送する搬送ローラ対１４３、１４４と、搬送された原稿１１０を排出する排出ローラ１４５と、排出された原稿１１０を受ける排紙トレイ１４６と、各ローラが収容されるとともにスキャナ１５０に開閉自在に取り付けられるケーシング１４７とを有している。さらに、ＡＤＦ１４０は、搬送中の原稿１１０の先端や後端を検出するための基準位置センサ１６１や、後述するカバー部材１７０の回動位置を検出するためのセンサ１６２、トレイ１４１上の原稿１１０の有無を検出するためのセンサ１６３、後述のプラテンガラス１５１上の原稿１１０の有無を検出するためのセンサ１６４などを有している。
【００２１】
スキャナ１５０は、プラテンガラス１５１と、プラテンガラス１５１の下方に往復読取可能なスキャナ光学系１２０とを備える。スキャナ光学系１２０は、照明ランプ１２１やセンサ１２２のほか、図示しないミラー・レンズ光学系を含んでいる。センサ１２２は、例えばレッド（Ｒ）、グリーン（Ｇ）、ブルー（Ｂ）の色ごとに画像を読み取るＣＣＤラインイメージセンサから構成されている。照明ランプ１２１により照明された原稿１１０からの反射光がミラー・レンズ光学系を経てセンサ１２２まで導かれる。スキャナ１５０の上面に形成されたＡＤＦ窓１５２にはガラス１５３が取り付けられ、このガラス１５３を通して、ＡＤＦ１４０によって搬送される原稿１１０の画像を読み取る。
【００２２】
画像読取装置１０１は、ＡＤＦスキャン方式による読み取りと、フラットベットスキャン方式による読み取りとを行うことができる。
【００２３】
ＡＤＦスキャン方式の場合は、スキャナ光学系１２０がホームポジションＨＰからＡＤＦ用ポジションＡＰに移動され、搬送された原稿１１０の先端が基準位置センサ１６１で検出された時点を基準にして読み取りが開始され、原稿１１０後端が基準位置センサ１６１で検出された時点を基準にして読み取りが終了される。
【００２４】
フラットベットスキャン方式の場合は、プラテンガラス１５１上に載置した原稿１１０に対して、スキャナ光学系１２０がホームポジションＨＰから図１（Ａ）の右側に移動しつつ原稿１１０の画像の読み取りが行われる。スキャナ光学系１２０は読み取りが終了すると、ホームポジションＨＰに戻る。
【００２５】
第１の実施形態にあっては、スキャナ光学系１２０および光電変換パネル１３０の両者が移動することによって、スキャナ光学系１２０および光電変換パネル１３０は、図１（Ｂ）に示される第１の位置Ｐ１と、図１（Ａ）に示される第２の位置Ｐ２との間で移動する。また、光電変換パネル１３０は、第１の位置Ｐ１では照明光１３１のみを受光する。
【００２６】
より詳しくは、第１の実施形態の画像読取装置１０１は、トレイ１４１の上面を覆ってトレイ１４１への原稿１１０のセットを禁止する閉位置ＰＳ（図１（Ａ））と、トレイ１４１の上面を開放してトレイ１４１への原稿１１０のセットを許容する開位置ＰＯ（図１（Ｂ））とに回動自在なカバー部材１７０を有している。カバー部材１７０は、回動軸１７１を中心に回動する。カバー部材１７０の基端部１７２に、光電変換パネル１３０が取り付けられている。そして、光電変換パネル１３０は、図１（Ｂ）に示すように、カバー部材１７０が開位置ＰＯに回動すると第１の位置Ｐ１に移動し、図１（Ａ）に示すように、カバー部材１７０が閉位置ＰＳに回動すると第２の位置Ｐ２に移動する。カバー部材１７０の回動位置を検出するためのセンサ１６２は、回動軸１７１に取り付けられたエンコーダなどから構成されている。
【００２７】
スキャナ光学系１２０の第１の位置Ｐ１は、ＡＤＦ用ポジションＡＰである。スキャナ光学系１２０の第２の位置Ｐ２は、ホームポジションＨＰである。光電変換パネル１３０の第１の位置Ｐ１は、スキャナ光学系１２０によって原稿１１０の画像の読み取りを阻害することがなく、かつ、発光光量の強い照明光１３１を効率よく受光できる位置に設定されている。
【００２８】
ＡＤＦ１４０のケーシング１４７には、環境光１３２を導入するための導入窓１４８が開口されている。カバー部材１７０が閉位置ＰＳまで回動すると、第２の位置Ｐ２に移動した光電変換パネル１３０は、導入窓１４８に臨み、この導入窓１４８を通して環境光１３２を受光することができる。導入窓１４８には、ケーシング１４７内へのゴミの混入を防止するために図示しない透明ガラスが取り付けられている。
【００２９】
図１（Ｂ）および図２を参照して、スキャナ１５０の上面パネル部には、カバー部材１７０の基端部１７２の通過を許容する窓１５４が開口されている。カバー部材１７０が開位置ＰＯまで回動すると、基端部１７２が窓１５４を通ってスキャナ１５０内に入り込み、光電変換パネル１３０が第１の位置Ｐ１に移動し、照明光１３１を直接受光することができる。
【００３０】
カバー部材１７０の回動軸１７１には、カバー部材１７０を開位置ＰＯから閉位置ＰＳに回動させる方向つまり閉じる方向の弾発力を付勢するための弾性部材（不図示）が接続されている。弾性部材は、例えば、ぜんまいから構成され、カバー部材１７０を閉位置ＰＳから開位置ＰＯに回動させることによって、前記弾発力を蓄えることができる。カバー部材１７０を開く（閉位置ＰＳから開位置ＰＯへの回動）のに連動して、スキャナ光学系１２０が、ホームポジションＨＰつまり第２の位置Ｐ２から、ＡＤＦ用ポジションＡＰつまり第１の位置Ｐ１に移動する。
【００３１】
図３を参照して、画像読取装置１０１は、開位置ＰＯに回動したカバー部材１７０を開位置ＰＯに保持する保持機構１８０を有している。スキャナ光学系１２０には、回動軸１７１と同軸に取り付けられた回転板１７３に係合および係合解除が自在な係合部材１８１が設けられている。係合部材１８１は、回転板１７３に形成された係合溝１７４に嵌まり込む爪形状を有し、回転板１７３に押し付ける方向の弾発力を付勢するための付勢部材１８２が取り付けられている。付勢部材１８２は、例えば、圧縮コイルバネから構成されている。付勢部材１８２の弾発力が付勢された係合部材１８１が回転板１７３の係合溝１７４に嵌まり込むことによって、開位置ＰＯに回動したカバー部材１７０は、閉位置ＰＳに回動させる方向の弾発力に抗して、開位置ＰＯに保持される。原稿１１０の画像の読み取りが終了したスキャナ光学系１２０は、ＡＤＦ用ポジションＡＰからホームポジションＨＰに移動する（図３中矢印Ａ）。この移動に連動して係合部材１８１が回転板１７３の係合溝１７４から外れ、ぜんまいなどに蓄えられた弾発力によって、カバー部材１７０が開位置ＰＯから閉位置ＰＳに回動することができる（図３中矢印Ｂ）。
【００３２】
図４を参照して、画像読取装置１０１の制御部２００は、所定のプログラムを実行することで読取装置各部を制御するＣＰＵ２０１と、制御に必要なプログラムを記憶しているＲＯＭ２０２と、ＣＰＵ２０１のワークエリアと画像データの記憶エリアを有するＲＡＭ２０３と、外部のコンピュータやプリンタなどとデータの受け渡しを行う入出力Ｉ／Ｆ２０４と、各種センサ１６１、１６２、１６３、１６４からの信号の入力を受ける信号入力Ｉ／Ｆ２０５と、操作パネル部２０６と、各駆動部を制御する駆動制御部２０７と、センサ１２２から出力されたアナログの画像データをデジタルの画像データに変換するＡ／Ｄ変換部２０８と、画像データに対して各種の画像処理を施す画像処理部２０９と、を有している。各部はバスライン２１０により互いに接続されて信号の受け渡しを行う。操作パネル部２０９は、タッチパネル、テンキー、スキャンスタートボタン、スキャンストップボタン等を備えており、各種情報の表示および各種指示の入力に使用される。駆動部には、スキャナ光学系１２０を移動させるモータ、搬送ローラを回転させるモータ、照明ランプ１２１を点灯／消灯させるスイッチング回路などが含まれる。
【００３３】
図５を参照して、画像読取装置１０１の光電変換パネル１３０は、制御部２００に電力を供給する電力供給部２１１に接続されている。電力供給部２１１には、商用電源２１２のほか、二次電池２１３が接続されている。電力供給部２１１は、光電変換パネル１３０によって発電した電気を二次電池２１３に一旦充電した後、二次電池２１３から安定した電力を、制御部２００を作動させる電力として制御部２００に供給する。ＣＰＵ２０１は、電力供給部２１１の作動を制御し、光電変換パネル１３０によって発電した電気を二次電池２１３に充電したり、二次電池２１３から電力を制御部２００に供給したりする。画像読取装置１０１のスリープモード時には、電力供給部２１１は、光電変換パネル１３０によって発電した電気を二次電池２１３に充電する。スリープモードは、商用電源２１２からの電力の供給を最低限に抑えたり、商用電源２１２からの電力の供給を完全に遮断したりする省エネモードである。二次電池２１３は、商用電源２１２からの電力の供給を完全に遮断した状態から通常運転状態まで復帰するために必要な電力を蓄えることができる。
【００３４】
照明光１３１や環境光１３２を光電変換パネル１３０によって直接受光する構成を図示したが、照明光１３１または環境光１３２を光電変換パネル１３０に導く導光部材を設ける構成を採用してもよい。導光部材としては、例えば、ミラーや、光ファイバなどを例示することができる。また、環境光１３２を導入するための導入窓１４８に、導光部材として、シリンドリカルレンズなどの集光光学系を設けてもよい。
【００３５】
第１の実施形態の作用を説明する。
【００３６】
図６を参照しつつ、画像読取装置１０１の装置内発電に関連する動作の流れを説明する。
【００３７】
まず、図１（Ａ）に示されるように、スキャン待機中においては（ステップＳ１、ステップＳ２「ＮＯ」）、カバー部材１７０は、閉じる方向の弾発力が付勢されて閉位置ＰＳにある。スキャナ光学系１２０は、第２の位置Ｐ２であるホームポジションＨＰにて待機している。第２の位置Ｐ２に移動した光電変換パネル１３０は、導入窓１４８を通して環境光１３２を受光し発電している（ステップＳ１）。ＣＰＵ２０１は、電力供給部２１１の作動を制御し、光電変換パネル１３０によって発電した電気を二次電池２１３に充電する。
【００３８】
ＣＰＵ２０１は、ユーザによってスキャンスタートボタンが押下されると（ステップＳ２「ＹＥＳ」）、ＡＤＦスキャンであるか、フラットベットスキャンであるかを判断する（ステップＳ３）。この判断は、センサ１６２によって検出されるカバー部材１７０の回動位置、センサ１６３によって検出されるトレイ１４１上の原稿１１０の有無、およびセンサ１６４によって検出されるプラテンガラス１５１上の原稿１１０の有無によって判断される。例えば、ＣＰＵ２０１は、カバー部材１７０が開位置ＰＯに回動し、かつ、トレイ１４１上に原稿１１０が有ることを検出した場合には、ＡＤＦスキャンであると判断する。また、ＣＰＵ２０１は、カバー部材１７０が閉位置ＰＳに回動し、かつ、プラテンガラス１５１上に原稿１１０が有ることを検出した場合には、フラットベットスキャンであると判断する。
【００３９】
図１（Ｂ）に示されるように、ＡＤＦスキャンの場合には（ステップＳ３「ＹＥＳ」）、ＣＰＵ２０１は、スキャナ光学系１２０を、ホームポジションＨＰから第１の位置Ｐ１であるＡＤＦ用ポジションＡＰに移動させる。保持機構１８０は、係合部材１８１が回転板１７３の係合溝１７４に嵌まり込むことによって、開位置ＰＯに回動したカバー部材１７０を開位置ＰＯに保持する。さらに、カバー部材１７０の基端部１７２が窓１５４を通ってスキャナ１５０内に入り込み、光電変換パネル１３０が第１の位置Ｐ１に移動する。
【００４０】
ＣＰＵ２０１は、照明ランプ１２１を点灯し、ＡＤＦ１４０によって原稿１１０を搬送しつつ原稿１１０の画像の読み取りを行う。第１の位置Ｐ１に移動した光電変換パネル１３０は、照明ランプ１２１の照明光１３１を受光し発電している（ステップＳ４）。ＣＰＵ２０１は、電力供給部２１１の作動を制御し、光電変換パネル１３０によって発電した電気を二次電池２１３に充電する。
【００４１】
ＡＤＦスキャンが終了すると、ＣＰＵ２０１は、照明ランプ１２１を消灯し、スキャナ光学系１２０を、ＡＤＦ用ポジションＡＰからホームポジションＨＰに復帰させる（ステップＳ６）。スキャナ光学系１２０の移動に連動して、係合部材１８１が回転板１７３の係合溝１７４から外れ、ぜんまいなどに蓄えられた弾発力によって、カバー部材１７０が開位置ＰＯから閉位置ＰＳに回動する。処理はステップＳ１に戻り、ＣＰＵ２０１は、スキャン待機中の制御を行う。
【００４２】
一方、フラットベットスキャンの場合には（ステップＳ３「ＮＯ」）、ＣＰＵ２０１は、照明ランプ１２１を点灯し、スキャナ光学系１２０を、ホームポジションＨＰから図１（Ａ）の右側に移動しつつ原稿１１０の画像の読み取りを行う。フラットベットスキャンの途中では、カバー部材１７０は閉位置ＰＳにあり、第２の位置Ｐ２に移動した光電変換パネル１３０は、導入窓１４８を通して環境光１３２を受光し発電している（ステップＳ５）。ＣＰＵ２０１は、電力供給部２１１の作動を制御し、光電変換パネル１３０によって発電した電気を二次電池２１３に充電する。
【００４３】
フラットベットスキャンが終了すると、ＣＰＵ２０１は、スキャナ光学系１２０をホームポジションＨＰに復帰させる（ステップＳ６）。処理はステップＳ１に戻り、ＣＰＵ２０１は、スキャン待機中の制御を行う。
【００４４】
このように、第１の実施形態では、ＡＤＦスキャンによって原稿１１０の画像を読み取るスキャン動作中においては照明ランプ１２１の照明光１３１を受光し、フラットベットスキャンによって原稿１１０の画像を読み取るスキャン動作中および待機中においては外部からの環境光１３２を受光している。このように１つの光電変換パネル１３０によって、発電効率の高い照明ランプ１２１の照明光１３１を受光することができ、かつ、待機中においては常に環境光１３２を受光して発電することができる。このため、照明ランプ１２１の照明光１３１を受光するための専用の光電変換パネル１３０、および環境光１３２を受光するための専用の光電変換パネル１３０の両者を組み込む場合に比べてコストの増加を抑えつつ、スキャン動作中および待機中の状態に拘らず効率的に発電することができ、もって使用電力の省エネルギ化を図ることができる。
【００４５】
また、スキャナ光学系１２０および光電変換パネル１３０の両者が移動することによって、スキャナ光学系１２０および光電変換パネル１３０は、光電変換パネル１３０が照明光１３１を受光する第１の位置Ｐ１（図１（Ｂ））と、光電変換パネル１３０が環境光１３２を受光する第２の位置Ｐ２（図１（Ａ））との間で移動する。したがって、光電変換パネル１３０は照明光１３１および環境光１３２をそれぞれに適した位置において受光することができ、より効率的に発電することができる。
【００４６】
また、カバー部材１７０を開位置ＰＯに回動する動作に連動して光電変換パネル１３０を第１の位置Ｐ１に移動させ、カバー部材１７０を閉位置ＰＳに回動する動作に連動して光電変換パネル１３０を第２の位置Ｐ２に移動させる構成としてある。したがって、光電変換パネル１３０を移動させるための複雑な機構を設けることなく、ユーザが原稿１１０の画像を読み取るための動作つまりカバー部材１７０を開くという動作を行うことによって、光電変換パネル１３０を照明光１３１および環境光１３２のそれぞれを受光するのに適した位置に簡単に位置させることができる。
【００４７】
（第２の実施形態）
図７に、本発明の第２の実施形態に係る画像読取装置１０２の機械的な構成を示す。なお、第１の実施形態と共通する部材には同一の符号を付し、その説明は一部省略する。
【００４８】
第２の実施形態に係る画像読取装置１０２は、第１の実施形態と同様に、光電変換パネル１３０は、原稿１１０の画像を読取るスキャン動作中においては照明ランプ１２１の照明光１３１を少なくとも受光し、待機中においては外部からの環境光１３２を受光している。また、スキャナ光学系１２０および光電変換パネル１３０の両者が移動することによって、スキャナ光学系１２０および光電変換パネル１３０が、図７（Ｂ）に示される第１の位置Ｐ１と、図７（Ａ）に示される第２の位置Ｐ２との間で移動する点でも、第１の実施形態と同様である。さらに、光電変換パネル１３０は、第１の位置Ｐ１では照明光１３１のみを受光する点においても、第１の実施形態と同様である。
【００４９】
ただし、光電変換パネル１３０を移動させるための構成が第１の実施形態と相違している。
【００５０】
より詳しくは、画像読取装置１０２は、読み取る原稿１１０をセットする回動トレイ２３１であって、原稿１１０をセットする前の初期位置ＰＵ（図７（Ａ）を参照）と、セットされた原稿１１０の自重によって回動するセット位置ＰＤ（図７（Ｂ）を参照）とに回動自在な回動トレイ２３１と、回動トレイ２３１の回動動作が伝達されて回動する回転部材２３２と、を有している。回転部材２３２は、回動軸２３３を中心に回動する。回転部材２３２に、光電変換パネル１３０が取り付けられている。そして、光電変換パネル１３０は、図７（Ｂ）に示すように、回動トレイ２３１がセット位置ＰＤに回動すると第１の位置Ｐ１に移動し、図７（Ａ）に示すように、回動トレイ２３１が初期位置ＰＵに回動すると第２の位置Ｐ２に移動する。
【００５１】
回動トレイ２３１の回動軸２３４と同軸には回動自在な歯車２３５が設けられ、回転部材２３２の回動軸２３３と同軸には回動自在な歯車２３６が設けられている。歯車２３５と歯車２３６との間には図示しない歯車列が設けられている。これらの歯車２３５、２３６、歯車列を介して、回動トレイ２３１の回動動作が回転部材２３２に伝達され、回転部材２３２が回動する。
【００５２】
回動トレイ２３１の回動軸２３４には、回動トレイ２３１をセット位置ＰＤから初期位置ＰＵに回動させる方向つまり持ち上げる方向の弾発力を付勢するための弾性部材（不図示）が接続されている。弾性部材は、例えば、ぜんまいから構成され、原稿１１０の自重によって回動トレイ２３１が初期位置ＰＵからセット位置ＰＤに回動することによって、前記弾発力を蓄えることができる。原稿１１０をセットして回動トレイ２３１が下がる（初期位置ＰＵからセット位置ＰＤへの回動）のに連動して、スキャナ光学系１２０が、ホームポジションＨＰつまり第２の位置Ｐ２から、ＡＤＦ用ポジションＡＰつまり第１の位置Ｐ１に移動する。
【００５３】
画像読取装置１０２は、セット位置ＰＤに回動した回動トレイ２３１をセット位置ＰＤに保持する保持機構を有している。保持機構は、第１の実施形態の保持機構１８０と同様に形成されるため図示省略するが、スキャナ光学系１２０には、回転部材２３２の係合溝に係合および係合解除が自在な係合部材が設けられている。
【００５４】
第２の実施形態のＡＤＦスキャン時の作用を説明する。
【００５５】
まず、図７（Ａ）に示されるように、スキャン待機中においては、回動トレイ２３１は、持ち上げる方向の弾発力が付勢されて初期位置ＰＵにある。スキャナ光学系１２０および光電変換パネル１３０は、第２の位置Ｐ２であるホームポジションＨＰにて待機している。光電変換パネル１３０は、導入窓１４８を通して環境光１３２を受光し発電している。
【００５６】
図７（Ｂ）に示されるように、読み取る原稿１１０を回動トレイ２３１の上にセットすると、セットされた原稿１１０の自重によって、回動トレイ２３１がセット位置ＰＤに回動する。回動トレイ２３１の回動に連動して、スキャナ光学系１２０が、ホームポジションＨＰから第１の位置Ｐ１であるＡＤＦ用ポジションＡＰに移動する。保持機構は、セット位置ＰＤに回動した回動トレイ２３１をセット位置ＰＤに保持する。さらに、回転部材２３２に取り付けた光電変換パネル１３０が窓１５４を通ってスキャナ１５０内に入り込み、第１の位置Ｐ１に移動する。
【００５７】
ＣＰＵ２０１は、照明ランプ１２１を点灯し、ＡＤＦ１４０によって原稿１１０を搬送しつつ原稿１１０の画像の読み取りを行う。第１の位置Ｐ１に移動した光電変換パネル１３０は、照明ランプ１２１の照明光１３１を受光し発電している。ＣＰＵ２０１は、電力供給部２１１の作動を制御し、光電変換パネル１３０によって発電した電気を二次電池２１３に充電する。
【００５８】
ＡＤＦスキャンが終了すると、ＣＰＵ２０１は、照明ランプ１２１を消灯し、スキャナ光学系１２０を、ＡＤＦ用ポジションＡＰからホームポジションＨＰに復帰させる。スキャナ光学系１２０の移動に連動して、係合部材が回転部材２３２の係合溝から外れ、ぜんまいなどに蓄えられた弾発力によって、回動トレイ２３１がセット位置ＰＤから初期位置ＰＵに回動する。
【００５９】
第２の実施形態も、ＡＤＦスキャンによって原稿１１０の画像を読み取るスキャン動作中においては照明ランプ１２１の照明光１３１を受光し、フラットベットスキャンによって原稿１１０の画像を読み取るスキャン動作中および待機中においては外部からの環境光１３２を受光している。このため、第１の実施形態と同様に、照明ランプ１２１の照明光１３１を受光するための専用の光電変換パネル１３０、および環境光１３２を受光するための専用の光電変換パネル１３０の両者を組み込む場合に比べてコストの増加を抑えつつ、スキャン動作中および待機中の状態に拘らず効率的に発電することができ、もって使用電力の省エネルギ化を図ることができる。
【００６０】
また、スキャナ光学系１２０および光電変換パネル１３０の両者が移動することによって、スキャナ光学系１２０および光電変換パネル１３０は、光電変換パネル１３０が照明光１３１を受光する第１の位置Ｐ１（図７（Ｂ））と、光電変換パネル１３０が環境光１３２を受光する第２の位置Ｐ２（図７（Ａ））との間で移動する。したがって、光電変換パネル１３０は照明光１３１および環境光１３２をそれぞれに適した位置において受光することができ、より効率的に発電することができる。
【００６１】
また、回動トレイ２３１をセット位置ＰＤに回動する動作に連動して光電変換パネル１３０を第１の位置Ｐ１に移動させ、回動トレイ２３１を初期位置ＰＵに回動する動作に連動して光電変換パネル１３０を第２の位置Ｐ２に移動させる構成としてある。したがって、光電変換パネル１３０を移動させるための複雑な機構を設けることなく、ユーザが原稿１１０の画像を読み取るための動作つまり原稿１１０のセットという動作を行うことによって、光電変換パネル１３０を照明光１３１および環境光１３２のそれぞれを受光するのに適した位置に簡単に位置させることができる。
【００６２】
（第３の実施形態）
図８に、本発明の第３の実施形態に係る画像読取装置１０３の機械的な構成を示す。なお、第１および第２の実施形態と共通する部材には同一の符号を付し、その説明は一部省略する。
【００６３】
第３の実施形態に係る画像読取装置１０３は、第１および第２の実施形態と同様に、光電変換パネル１３０は、原稿１１０の画像を読取るスキャン動作中においては照明ランプ１２１の照明光１３１を少なくとも受光し、待機中においては外部からの環境光１３２を受光している。また、スキャナ光学系１２０および光電変換パネル１３０の両者が移動することによって、スキャナ光学系１２０および光電変換パネル１３０が、図８（Ｂ）に示される第１の位置Ｐ１と、図８（Ａ）に示される第２の位置Ｐ２との間で移動する点でも、第１および第２の実施形態と同様である。
【００６４】
ただし、光電変換パネル１３０は、第１の位置Ｐ１では照明光１３１および環境光１３２の両者を受光している点で第１および第２の実施形態と相違している。また、スキャナ光学系１２０および光電変換パネル１３０の移動形態も第１および第２の実施形態と相違している。
【００６５】
より詳しくは、画像読取装置１０３は、スキャナ光学系１２０および光電変換パネル１３０は、一のスライダ２４１上に取り付けられてモジュール化（一体化）されている。スキャナ光学系１２０、光電変換パネル１３０、およびスライダ２４１によって、発電ユニット２４２を構成している。発電ユニット２４２のホームポジションＨＰは、図８（Ａ）に示される位置である。発電ユニット２４２のホームポジションＨＰが、スキャナ光学系１２０および光電変換パネル１３０それぞれのホームポジションＨＰつまり第２の位置Ｐ２である。ＡＤＦスキャンのときには、図８（Ｂ）に示すように、発電ユニット２４２は、ホームポジションＨＰからＡＤＦ用ポジションＡＰに移動する。発電ユニット２４２のＡＤＦ用ポジションＡＰが、スキャナ光学系１２０および光電変換パネル１３０それぞれのＡＤＦ用ポジションＡＰつまり第１の位置Ｐ１である。
【００６６】
スキャナ１５０の上面パネル部には、環境光１３２を導入するための導入窓２４３が開口されている。発電ユニット２４２がホームポジションＨＰに位置するときには、第２の位置Ｐ２に移動した光電変換パネル１３０は、導入窓２４３のほぼ直下に臨み、この導入窓２４３を通して環境光１３２を受光することができる。導入窓２４３には、スキャナ１５０内へのゴミの混入を防止するために透明ガラス２４４が取り付けられている。
【００６７】
スキャナ１５０内には、発電ユニット２４２がＡＤＦ用ポジションＡＰに移動した状態において、照明ランプ１２１の照明光１３１を光電変換パネル１３０に導く導光部材としての反射ミラー２４５が取り付けられている。反射ミラー２４５は、スキャナ光学系１２０によって原稿１１０の画像の読み取りを阻害することがない位置に取り付けられている。
【００６８】
読み取る原稿１１０はトレイ２４６上にセットする。このトレイ２４６は原稿１１０をセットしても回動しない。
【００６９】
第３の実施形態のＡＤＦスキャン時の作用を説明する。
【００７０】
まず、図８（Ａ）に示されるように、スキャン待機中においては、発電ユニット２４２はホームポジションＨＰにある。スキャナ光学系１２０および光電変換パネル１３０は、第２の位置Ｐ２であるホームポジションＨＰにて待機している。光電変換パネル１３０は、導入窓２４３を通して環境光１３２を受光し発電している。
【００７１】
図８（Ｂ）に示されるように、読み取る原稿１１０をトレイ２４６の上にセットし、ユーザによってスキャンスタートボタンが押下されると、発電ユニット２４２が、ホームポジションＨＰからＡＤＦ用ポジションＡＰに移動する。スキャナ光学系１２０および光電変換パネル１３０は、第１の位置Ｐ１であるＡＤＦ用ポジションＡＰに移動する。
【００７２】
ＣＰＵ２０１は、照明ランプ１２１を点灯し、ＡＤＦ１４０によって原稿１１０を搬送しつつ原稿１１０の画像の読み取りを行う。第１の位置Ｐ１の光電変換パネル１３０は、反射ミラー２４５によって反射された照明ランプ１２１の照明光１３１および導入窓２４３を通して斜め入射する環境光１３２の両者を受光し発電している。ＣＰＵ２０１は、電力供給部２１１の作動を制御し、光電変換パネル１３０によって発電した電気を二次電池２１３に充電する。
【００７３】
ＡＤＦスキャンが終了すると、ＣＰＵ２０１は、照明ランプ１２１を消灯し、発電ユニット２４２を、ＡＤＦ用ポジションＡＰからホームポジションＨＰに復帰させる。
【００７４】
第３の実施形態は、ＡＤＦスキャンによって原稿１１０の画像を読み取るスキャン動作中においては照明ランプ１２１の照明光１３１および環境光１３２の両者を受光し、待機中においては外部からの環境光１３２を受光している。このため、第１および第２の実施形態と同様に、照明ランプ１２１の照明光１３１を受光するための専用の光電変換パネル１３０、および環境光１３２を受光するための専用の光電変換パネル１３０の両者を組み込む場合に比べてコストの増加を抑えつつ、スキャン動作中および待機中の状態に拘らず効率的に発電することができ、もって使用電力の省エネルギ化を図ることができる。
【００７５】
また、スキャナ光学系１２０および光電変換パネル１３０は、光電変換パネル１３０が照明光１３１および環境光１３２の両者を受光する第１の位置Ｐ１（図８（Ｂ））と、光電変換パネル１３０が環境光１３２を受光する第２の位置Ｐ２（図８（Ａ））との間を移動自在に設けている。したがって、光電変換パネル１３０は照明光１３１および環境光１３２をそれぞれに適した位置において受光することができ、より効率的に発電することができる。
【００７６】
（第４の実施形態）
図９に、本発明の第４の実施形態に係る画像読取装置１０４の機械的な構成を示す。なお、第１〜第３の実施形態と共通する部材には同一の符号を付し、その説明は一部省略する。
【００７７】
第４の実施形態に係る画像読取装置１０４は、第１〜第３の実施形態と同様に、光電変換パネル１３０は、原稿１１０の画像を読取るスキャン動作中においては照明ランプ１２１の照明光１３１を少なくとも受光し、待機中においては外部からの環境光１３２を受光している。また、光電変換パネル１３０は、第１の位置Ｐ１では照明光１３１および環境光１３２の両者を受光している点で、第３の実施形態と同様である。
【００７８】
ただし、光電変換パネル１３０は固定されており、スキャナ光学系１２０のみが移動することによって、スキャナ光学系１２０および光電変換パネル１３０が、図９（Ｂ）に示される第１の位置Ｐ１と、図９（Ａ）に示される第２の位置Ｐ２との間で相対的に移動する点で、第３の実施形態と相違している。
【００７９】
より詳しくは、スキャナ光学系１２０のホームポジションＨＰは、図９（Ａ）に示される位置であり、スキャナ光学系１２０および光電変換パネル１３０は、第２の位置Ｐ２にある。ＡＤＦスキャンのときには、図９（Ｂ）に示すように、スキャナ光学系１２０は、ホームポジションＨＰからＡＤＦ用ポジションＡＰに移動する。スキャナ光学系１２０および光電変換パネル１３０は、ＡＤＦ用ポジションＡＰつまり第１の位置Ｐ１にある。
【００８０】
スキャナ１５０内には、スキャナ光学系１２０がＡＤＦ用ポジションＡＰに移動した状態において、照明ランプ１２１の照明光１３１を光電変換パネル１３０に導く導光部材としての反射ミラー２５１が取り付けられている。反射ミラー２５１は、スキャナ光学系１２０によって原稿１１０の画像の読み取りを阻害することがない位置に取り付けられている。
【００８１】
第４の実施形態のＡＤＦスキャン時の作用を説明する。
【００８２】
まず、図９（Ａ）に示されるように、スキャン待機中においては、スキャナ光学系１２０はホームポジションＨＰにある。スキャナ光学系１２０および光電変換パネル１３０は、第２の位置Ｐ２にて待機している。光電変換パネル１３０は、導入窓２４３を通して環境光１３２を受光し発電している。
【００８３】
図９（Ｂ）に示されるように、読み取る原稿１１０をトレイ２４６の上にセットし、ユーザによってスキャンスタートボタンが押下されると、スキャナ光学系１２０が、ホームポジションＨＰからＡＤＦ用ポジションＡＰに移動する。スキャナ光学系１２０および光電変換パネル１３０は、第１の位置Ｐ１にある。
【００８４】
ＣＰＵ２０１は、照明ランプ１２１を点灯し、ＡＤＦ１４０によって原稿１１０を搬送しつつ原稿１１０の画像の読み取りを行う。第１の位置Ｐ１の光電変換パネル１３０は、反射ミラー２５１によって反射された照明ランプ１２１の照明光１３１および導入窓２４３を通して入射する環境光１３２の両者を受光し発電している。ＣＰＵ２０１は、電力供給部２１１の作動を制御し、光電変換パネル１３０によって発電した電気を二次電池２１３に充電する。
【００８５】
ＡＤＦスキャンが終了すると、ＣＰＵ２０１は、照明ランプ１２１を消灯し、発電ユニット２４２を、ＡＤＦ用ポジションＡＰからホームポジションＨＰに復帰させる。
【００８６】
第４の実施形態は、ＡＤＦスキャンによって原稿１１０の画像を読み取るスキャン動作中においては照明ランプ１２１の照明光１３１および環境光１３２の両者を受光し、フラットベットスキャンによって原稿１１０の画像を読み取るスキャン動作中および待機中においては外部からの環境光１３２を受光している。このため、第１〜第３の実施形態と同様に、照明ランプ１２１の照明光１３１を受光するための専用の光電変換パネル１３０、および環境光１３２を受光するための専用の光電変換パネル１３０の両者を組み込む場合に比べてコストの増加を抑えつつ、スキャン動作中および待機中の状態に拘らず効率的に発電することができ、もって使用電力の省エネルギ化を図ることができる。
【００８７】
また、スキャナ光学系１２０のみが移動することによって、スキャナ光学系１２０および光電変換パネル１３０は、光電変換パネル１３０が照明光１３１および環境光１３２の両者を受光する第１の位置Ｐ１（図８（Ｂ））と、光電変換パネル１３０が環境光１３２を受光する第２の位置Ｐ２（図８（Ａ））との間で相対的に移動する。したがって、光電変換パネル１３０は照明光１３１および環境光１３２をそれぞれに適した位置において受光することができ、より効率的に発電することができる。
【００８８】
本発明は、上記した実施の形態のみに限定されるものではなく、特許請求の範囲内において、種々改変することができる。
【００８９】
光電変換パネル１３０が発生する電力の利用態様は、上述した実施形態において説明した利用態様に限られるものではなく、適宜改変することができる。例えば、光電変換パネル１３０によって発電した電気を二次電池２１３に一旦充電した後、二次電池２１３から制御部２００に電力を供給する態様を示したが、光電変換パネル１３０によって発電した電気を制御部２００に直接供給することもできる。また、画像読取装置に設けられた電気機器を作動させるための電力として利用する場合に限定されるものではない。例えば、画像読取装置の外部に設けられた電気機器（二次電池や照明装置など）を作動させるための電力として利用することができる。
【００９０】
また、本発明は、コピー機などの画像形成装置に組み込んで使用する画像読取装置にも適用可能である。
【符号の説明】
【００９１】
１０１、１０２、１０３、１０４    画像読取装置、
１１０    原稿、
１２１    照明ランプ（照明部材）、
１２２    センサ、
１２０    スキャナ光学系、
１３０    光電変換パネル、
１３１    照明光、
１３２    環境光、
１４１    トレイ、
１４８    導入窓、
１７０    カバー部材、
２３１    回動トレイ、
２３２    回転部材、
２４１    スライダ、
２４２    発電ユニット、
２４３    導入窓、
２４５、２５１    反射ミラー（導光部材）、
ＨＰ      ホームポジション、
ＡＰ      ＡＤＦ用ポジション、
Ｐ１      第１の位置、
Ｐ２      第２の位置、
ＰＳ      カバー部材の閉位置、
ＰＯ      カバー部材の開位置、
ＰＵ      回動トレイの初期位置、
ＰＤ      回動トレイのセット位置。
【図１】
2011244252.tif 000003
【図２】
2011244252.tif 000004
【図３】
2011244252.tif 000005
【図４】
2011244252.tif 000006
【図５】
2011244252.tif 000007
【図６】
2011244252.tif 000008
【図７】
2011244252.tif 000009
【図８】
2011244252.tif 000010
【図９】
2011244252.tif 000011